(57)【要約】      （修正有）【課題】本発明はロフト角度が調節できるゴルフクラブヘッドを提供する。【解決手段】シャフトに連結されるゴルフクラブヘッドは本体１１０と、本体１１０から所定角度で折曲延長されるヘッドヒール１２０から構成されるヘッド部１００と、前記ヘッド部１００と回動可能に連結される締結部２００とを含んで構成され、ロフト角度が調節できることを特徴とする。【選択図】図１
2006223828.tif 000002
【特許請求の範囲】
【請求項１】
シャフトに連結されてゴルフクラブをなすゴルフクラブヘッドにおいて、
本体と、前記本体から所定の角度で折曲延長されるヘッドヒールから構成されるヘッド部；及び
前記ヘッド部に対して回動され得る回動手段と、回動された任意の角度を選択して固定できる固定手段を含み、前記シャフトに締結される締結部；とを含んで構成されることを特徴とするロフト角度が調節できるゴルフクラブヘッド。
【請求項２】
請求項１に記載の発明において、
前記ヘッドヒールは、
前記ヘッドヒールの端部中央で所定の深さで形成されたガイド凹溝、 前記ガイド凹溝により両分された前記ヘッドヒールの一対のヘッドヒール片、及び前記一対のヘッドヒール片に前記ガイド凹溝に連通されるように所定の深さで形成された周りに内側ギアを具備した回動溝を含み、
前記回動溝のうち、いずれか一つは外部へ開放されるように形成され、他の一つの底面には所定直径の軸ホールが形成され、
前記締結部は、
中空円筒形体であって、円筒形側面には所定サイズの挿入溝が形成され、前記挿入溝の両側に前記内側ギアと噛み合うように一対の外側ギア片が形成され、両端部面には円筒形体の長さ方向に前記内側ギアの高さより長い長孔型の第１の貫通ホールが形成された回動体と、
一端部は前記第１の貫通ホールに対応される第２の貫通ホールが形成され、前記回動体の挿入溝に嵌挿され、他端部には雄ねじ部が形成される締結棒と、
前記締結棒の雄ねじが露出され得る長さで前記締結棒の周りに嵌め込まれる中空締結管と、及び
前記雄ねじ部に結合される雌ねじが内面に形成される中空管であって、前記中空締結管に引接して前記締結棒に嵌め込められ、前記シャフトと連結される調整管とを含んで構成され、
前記ヘッド部と前記締結部とが前記軸ホール、前記第１の貫通ホール、及び前記第２の貫通ホールを通過する軸ピンを介して互いに回動されることを特徴とするロフト角度が調節できるゴルフクラブヘッド。
【請求項３】
請求項２に記載の発明において、
前記ヘッドヒールは前記軸ホールと同一のサイズの軸ホールが形成されたカバーを更に含むことを特徴とするロフト角度が調節できるゴルフクラブヘッド。
【請求項４】
請求項２に記載の発明において、
前記締結棒にはスプリングが更に嵌め込められ、
前記締結棒の一区間には前記スプリングの位置を決めるスプリング阻止部が形成され、
前記締結棒の前記調整管測の端部には前記スプリングを加圧できるスプリング加圧部が更に形成されることを特徴とするロフト角度が調節できるゴルフクラブヘッド。
【請求項５】
請求項４に記載の発明において、
前記ヘッド部のヘッドヒールの末端部は円形で形成され、
前記中空締結管の一端部は対向する前記ヘッドヒールの端部の円形に合わせ形成される凹んでいる円形であることを特徴とするロフト角度が調節できるゴルフクラブヘッド。
【請求項６】
請求項５に記載の発明において、
前記中空締結管の一端部には前記ガイド凹溝に嵌め込められ、ヘッド部と締結部との間の回動を容易にするガイド突起が更に形成されることを特徴とするロフト角度が調節できるゴルフクラブヘッド。
【請求項７】
請求項６に記載の発明において、
前記ヘッドヒール片の外側面にはヘッド部の角度を表示する目盛りが表示されたことを特徴とするロフト角度が調節できるゴルフクラブヘッド。
【請求項８】
請求項７に記載の発明において、
前記雄ねじ部は左ねじであることを特徴とするロフト角度が調節できるゴルフクラブヘッド。
【請求項９】
請求項８に記載の発明において、
前記ガイド凹溝に異物の挿入を防止するように保護帯を更に含むことを特徴とするロフト角度が調節できるゴルフクラブヘッド。
【請求項１０】
請求項９に記載の発明において、
前記中空締結管と前記調整管との間にはワッシャーが更に含まれることを特徴とするロフト角度が調節できるゴルフクラブヘッド。
【請求項１１】
請求項２に記載の発明において、
前記回動体には前記挿入溝の垂直方向に両端部面を貫通するように形成される少なくとも一つの固定ホールが形成され、前記締結棒の回動体側の挿入端部には前記固定ホールに対応される固定溝が形成され、
前記固定ホールと前記固定溝とを通過する固定ピンで前記回動体と前記締結棒とを連結することを特徴とする請求項２に記載のロフト角度が調節できるゴルフクラブヘッド。
【請求項１２】
請求項２に記載の発明において、
前記回動体は、
断面が多角形状である柱形体であって、両端面には軸方向に前記内側ギアの高さより長い長孔型の第１の貫通ホールが形成された結合ピン、及び一側が突出された所定厚さの円板形状であって、中心部に前記結合ピンが強制的に嵌め込まれることができる第１の結合ホールが形成され、突出された末端に前記内側ギアと噛み合うように外側ギアの片が形成された一対の回動片を含んで構成され、
前記締結棒の一端部には前記第１の結合ホールと同一の形状の第２の結合ホールが形成され、
前記第１の結合ホール及び前記第２の結合ホールを通過する結合ピンで前記回動体と前記締結棒とを連結することを特徴とする請求項２に記載のロフト角度が調節できるゴルフクラブヘッド。
【請求項１３】
請求項１２に記載の発明において、
前記回動片には、前記第１の結合ホール側では大きい直径Ｒで形成され、前記外側ギア片では小さい直径ｒで形成された前記第１の結合ホールと外部を貫通するピンホールとが形成され、
前記ピンホールには前記ピンホールの小さい直径より大きい頭部ｈを具備し、ボディー部Ｂが外側ギア片に向かうように小型ピンが挿入され、前記小型ピンの頭部ｈには弾性部材が圧入されることを特徴とするロフト角度が調節できるゴルフクラブヘッド。
【請求項１４】
請求項１２に記載の発明において、
前記内側ギアのギア山の個数はギア山の一つがほぼ５゜を維持するように約７２個であることを特徴とするロフト角度が調節できるゴルフクラブヘッド。
【発明の詳細な説明】
【技術分野】
【０００１】
本発明は、ロフト角度が調節できるゴルフクラブヘッドに関し、より詳細にはゴルフクラブヘッドが回動可能に具備され、ロフト角度が調節できるゴルフクラブヘッドに関する。
【背景技術】
【０００２】
本発明を具現しようとする技術的思いつきは従来知られたところがないので、従来、ゴルフクラブの使用において発生する問題点を説明する。
【０００３】
ゴルフクラブは通常、ドライバー、 ウッド、 アイアン、 ウェッジ、 パター等から分けられ、各ゴルフクラブはメーカー毎に異なるが、通常、ドライバーの場合は５゜乃至１３゜、ウッドの場合は１３゜乃至１５゜、２番アイアンの場合は１９゜、３番アイアンの場合は２２゜、４番アイアンの場合は２５゜、５番アイアンの場合は２８゜、６番アイアンの場合は３２゜、７番アイアンの場合は３６゜、８番アイアンの場合は４０゜、９番アイアンの場合は４４゜、ピッチングウェッジ（ｐｗ）の場合は４８゜、アプローチウェッジ（ａｗ）の場合は５２゜、または５３゜、サンドウェッジの場合は５５゜、または ５６゜、 ローブウェッジの場合は６０゜程度ロフト角度を有している。
【０００４】
ゴルフクラブのロフト角度（Loft Ａngle）とは、ゴルフクラブヘッドのソール（Sole）を地面においた時、フェース前方のソールの延長地面線を基準にしてクラブフェースの前方で作られる９０度の垂直線と、クラブフェース中央のボールが当たる部分の面によって生ずる斜線の間に生ずる角度であって、ロフト角度はゴルフボールの打撃時、重要な顧慮要素であり、ロフト角度が大きければボールが高く浮かび、飛距離は小さくなり、反対にロフト角度が小さければボールが浮かばなく、飛距離が増える。
【発明の開示】
【発明が解決しようとする課題】
【０００５】
しかし、従来の全てのゴルフクラブなどはゴルフクラブヘッド部がシャフトに対して動くことができなく固定されているため、一つのロフト角度だけ有することができる。これにより、使用者などは各用途に合うゴルフクラブを複数個具備して使う。しかし、使用頻度が高くない全てのゴルフクラブなどを全部持参して通うことは煩わしいことであり、持参して通ってもゴルフクラブを交換することも煩わしいという問題点があった。
【課題を解決するための手段】
【０００６】
本発明は上記した問題点を解決するために案出されたものであって、本発明はゴルフクラブのロフト角度をゴルファーが用途に合うように変更して使用できるようにゴルフクラブヘッド部が回動されるように構成することを目的とする。
【０００７】
また、ゴルフクラブヘッド部が容易に回動し、回動時、容易にロフト角度を合わせることができるように構成することを目的とする。
【発明の効果】
【０００８】
本発明によるゴルフクラブヘッドはヘッド部が回動されることによってロフト角度が調節できるので、一つのゴルフクラブで多様なロフト角度を形成できる。これで、ゴルフをする場合、多くのクラブなどを持参しなくても良くて一層便利にゴルフを楽しむことができるようになる。特に、本発明による一つのゴルフクラブヘッドをウェッジに適用する場合、よく使われないサンドウェッジ以下のゴルフクラブなどを全て持参する必要なく、一つのウェッジを持参することによって簡便に解決され得る。
【０００９】
また、本発明によるゴルフクラブヘッドのヘッド部をロフト角度９０゜以上に反らす場合、左利き用ゴルフクラブに変更され、障害物のため不可避にボールの左方向からショットをしなければならない場合にも有用に使用され得る。
【００１０】
また、本発明によるゴルフクラブヘッドは容易にロフト角度を決めることができるようになり、ゴルフクラブヘッド部が回動してもゴルフクラブの性能を低下させない堅固性を有している。 
【発明を実施するための最良の形態】
【００１１】
本発明はシャフトに連結されるゴルフクラブヘッドにおいて、本体と、本体から所定の角度で折曲延長されるヘッドヒールから構成されるヘッド部と、ヘッド部と回動可能に連結される締結部とを含んで構成されることを特徴とする。
【００１２】
以下では、本発明による第１の実施例を図面を参照しながらより詳細に説明するようにする。図１は本発明の実施例によるロフト角度が調節できるゴルフクラブヘッドの分解斜視図である。これによれば、ゴルフクラブヘッドは大きく、ヘッド部１００と、締結部２００、回動体２１０、保護帯２２０、締結棒２３０、スプリング２４０、中空締結管２５０、ワッシャー２６０を含んで構成される。
【００１３】
ヘッド部１００はゴルフボールを打撃する本体１１０と、本体１１０の一側でほぼ上側方向に所定角度で折曲されるヘッドヒール１２０とから構成される。
【００１４】
本体１１０はゴルフクラブの種類によってドライバー、ウッド、アイアン、ウェッジ、パターなどの多様な形状を有することができ、本実施例ではウェッジが図示されているが、これに限定されるものではない。
【００１５】
本体１１０から延長されるヘッドヒール１２０の端部中央には左右方向に延長されるガイド凹溝１３０が形成され、ヘッドヒール１２０の端部を二つの部分に分離し、これによってヘッドヒール１２０の端部は一対のヘッドヒール片１２１、１２１ａ、１２１ｂから構成される。
【００１６】
図２は本発明の一実施例の具現によるヘッド部のヘッドヒールの切開斜視図であって、ヘッドヒール１２０の構造をより詳細に図示している。図１及び図２によれば、ガイド凹溝１３０は締結部２００の端部に結合される後述する回動体２１０が挿入され、ガイド凹溝１３０の延長方向に沿って締結部２００が回動され得るように具備される溝である。一対のヘッドヒール片１２１ａ、１２１ｂには回動体２１０が取り付けられる一対の回動溝１２３がガイド凹溝１３０と連通されるように形成され、一対の回動溝１２３の外周には一対の内側ギア１２５、１２５ａ、１２５ｂが形成され、回動体２１０に形成される一対の外側ギア片２１５、２１５ａ、２１５ｂがそれぞれ、噛み合いながら嵌め込まれることができるように構成される。この時、回動体２１０の外側ギア片２１５は内側ギア１２５に噛み合うとか離隔されるように動作されるので、回動溝１２３、１２３ａ、１２３ｂは回動体２１０の外側ギア片２１５が内側ギア１２５から完全に離隔され得る区間を確保できるサイズで形成されなければならない。
【００１７】
回動溝１２３、１２３ａ、１２３ｂなどのうち、いずれか一つの回動溝１２３ａは回動体２１０が取り付けられる入口を確保するように所定深さで形成されることではなく、外部に開放されるように形成される。外部に開放された回動溝１２３ａは回動体２１０が回動溝１２３ａに取り付けられた以後には再び覆わせられなければならないので、これを覆うためのカバー１５０が具備される。
【００１８】
一方、カバー１５０及び外部に開放されなかったヘッドヒール片１２１ｂの壁面には壁面を貫通する所定直径の軸ホール１５１、１２７がそれぞれ形成され、後述する軸ピン１４０が嵌め込まれることができるように構成される。
【００１９】
この時、ヘッドヒール片１２１、１２１ａ、１２１ｂの末端部は円形で形成されることが望ましい。これは後述する中空締結管２５０のヘッドヒール１２０側の端部がヘッドヒール片１２１端部の円形に対向しながら凹円形で合わせ形成されるようにし、締結部２００がヘッド部１００に対して回動される時に柔軟に回動され得るようにするためである。
【００２０】
一方、ガイド凹溝１３０の間に異物が挿入されることを防止するための手段が具備されることが望ましい。本実施例では所定長さの帯形状の保護帯２２０が具備され、ガイド凹溝１３０に位置されて回動体２１０の周りを包みながら後述する中空締結管２５０のガイド突起２５５に保護帯２２０の各端部が連結され得るように構成される。この時、保護帯２２０はガイド突起２５５にレーザー溶接で表示なく連結されるのが望ましい。
【００２１】
また、ヘッドヒール１２０にはヘッド部１００の角度を表示する目盛りを表示して使用者が容易にロフト角度を調節できるようにすることが望ましい。
【００２２】
締結部２００は回動体２１０、締結棒２３０、中空締結管２５０、スプリング２４０を含んで構成される。
【００２３】
回動体２１０は軸ピン１４０に嵌め込まれて回動され得るように構成されたほぼ円筒形体である。図３は本発明の一実施例の具現による回動体の斜視図であって、回動体をより詳細に図示している。図１及び図３によれば、回動体２１０は円筒面に所定サイズの挿入溝２１７と、挿入溝２１７の両側へ形成される一対の外側ギア片２１５ａ、２１５ｂと、円筒形体の両端部を貫通する第１の貫通ホール２１１と、挿入溝２１７に挿入される締結棒２３０の端部を回動体２１０に固定連結させるための固定ホール２１３、２１３ａ、２１３ｂとが形成されている。
【００２４】
挿入溝２１７は締結棒２３０の挿入端部が挿入される空間であって、後述する締結棒２３０の四角柱型の挿入端部が強制に嵌め込むことで挿入され得るサイズで形成される。外側ギア片２１５は内側ギア１２５に噛み合う突起の役目をするものであって、回動体２１０の挿入溝２１７の両側へ形成される。回動体２１０に形成される外側ギア片２１５は一つの突起が形成されることとしても可能であるが、より堅固に外側ギア片２１５と内側ギア１２５とが噛み合うことができるように外側ギア片２１５の突起を２つ以上形成するのが望ましい。本実施例では外側ギア片２１５の突起が３つ形成されている。第１の貫通ホール２１１は軸ピン１４０が貫通されるホールであって、外側ギア片２１５が形成された方向に延長された長孔型で形成される。長孔型で形成されることは外側ギア片２１５が内側ギア１２５から離隔され得るようにするためである。即ち、外側ギア片２１５が内側ギア１２５の一定の溝から離隔されて所定角度で回動した後、他の溝に嵌め込まれることができるようにするためである。
【００２５】
一方、本実施例において第１の貫通ホール２１１の貫通方向と並んだ方向に少なくとも１つの固定ホール２１３、２１３ａ、２１３ｂが形成されるが、固定ホール２１３は固定ピン２１８、２１８ａ、２１８ｂが貫通されるホールであって、固定ピン２１８は締結棒２３０の挿入端部２３１が挿入溝２１７に嵌め込まれた後、回動体２１０と締結棒２３０とを互いに連結させる。しかし、この時、固定ピン２１８で固定させず、溶接等で回動体２１０と締結棒２３０とを互いに連結させることも可能である。
【００２６】
締結棒２３０は回動体２１０の挿入溝２１７に挿入されて連結される延長体であって、回動体２１０側の挿入端部２３１は四角柱形状であり、第１の貫通ホール２１１と同一の形状の軸ピン１４０が貫通する長孔型の第２の貫通ホール２３３と、固定ピン２１８が取り付けられる少なくとも一つの固定溝２３５、２３５ａ、２３５ｂが形成される。
【００２７】
また、締結棒２３０の延長された他端部側には外面に雄ねじが形成された雄ねじ部２３７が形成される。この時、形成される雄ねじは左ねじで形成されるのが望ましい。即ち、これに嵌め込まれる雌ねじを具備した後述する調整管２７０が反時計方向に回動しながら前進することができる方向に形成される。これは右利きゴルファーがゴルフクラブでスイングしてもねじ締めが解けないようにするためである。
【００２８】
締結棒２３０にはスプリング２４０が嵌め込まれるが、締結棒２３０上にはスプリング２４０が嵌め込まれる場合、スプリング２４０が一定の位置以上に前進されて嵌め込まれることを防止するためにスプリング２４０の位置を決めるスプリング阻止部２３８が締結棒２３０の本体の一区間に形成される。本実施例においてスプリング阻止部２３８はスプリング２４０が嵌め込まれる区間での締結棒２３０の直径より大きい直径の所定区間を形成するものから構成されているが、環形の阻止リングを嵌め込んで締結棒２３０と一体に固定させる方法など様々な方式でスプリング阻止部２３８を形成することができる。
【００２９】
締結棒２３０上には、先に中空締結管２５０が嵌め込まれる。図４は本発明の一実施例の具現による中空締結管の切開斜視図であって、中空締結管をより詳細に図示する。図１及び図４によれば、中空締結管２５０は締結棒２３０の雄ねじが所定長さで露出され得るように締結棒２３０の長さより小さい長さで形成され、中空締結管２５０のヘッドヒール側の凹端部２５３には前述したように、ヘッドヒール１２０の円形端部に合わせ形状される形状、即ち、凹んでいるような円形で形成される。
【００３０】
この時、ヘッドヒール１２０側の締結棒２３０端部にはガイド凹溝１３０に嵌め込まれるようにした一対のガイド突起２５５、２５５ａ、２５５ｂが形成されるのが望ましい。これで、締結棒２３０がより安定するようにガイド凹溝１３０に沿って回動することができるようになる。
【００３１】
一方、中空締結管２５０のヘッドヒール側の凹端部２５３と反対方向の調整管測の端部にはスプリング２４０を加圧できるスプリング加圧部２５７が形成される。スプリング加圧部２５７は後述する調整管２７０を後進させる場合、中空締結管２５０が調整管２７０に沿って後進され得るようにスプリング２４０が中空締結管２５０に弾性力を加えることができれば十分であり、その形状には制限がない。本実施例では中空締結管２５０の調整管測の端部周りに中空の直径を減少させ、管の厚さを増加させる加圧部２５７を形成させる構成で提供された。
【００３２】
中空締結管２５０の外側には締結棒２３０にねじ式で嵌め込まれる中空体である調整管２７０が提供される。調整管２７０の締結棒２３０側の端部一区間には中空締結管２５０の雄ねじに嵌め込まれる雌ねじが内壁面に形成されて締結棒２３０の雄ねじ部２３７に連結され、他側端部はゴルフクラブのシャフト(図示せず)と連結される。調整管２７０がシャフトに締結される方式は当業者に周知されているので、詳細な説明を省略する。
【００３３】
一方、調整管２７０と中空締結管２５０との間にはワッシャー２６０を設置してより柔軟に調整管２７０が移動され得るようにするのが望ましい。
【００３４】
以下では、本発明の前記実施例によるロフト角度が調節できるゴルフクラブヘッドの動作及び機能を図面を参照して説明する。図５ａ及び図５ｂはそれぞれヘッド部が一定のロフト角度に固定されている状態を見せる動作図及び部分切開断面図であり、図６ａ及び図６ｂはそれぞれ調整管を後方へ移動させる状態を見せる動作図であり、図７ａ及び図７ｂはそれぞれ、ヘッド部を回動して他のロフト角度に変更する状態を見せる動作図である。
【００３５】
これによれば、一定のロフト角度に固定されているヘッド部１００のロフト角度を変更するために調整管２７０を時計方向に回動させる。調整管２７０を時計方向に回動させれば、調整管２７０の雌ねじが締結棒２３０の雄ねじ部２３７から解かれるようになって調整管２７０が後方に移動するようになる。
【００３６】
調整管２７０が後方に移動するようになれば、調整管２７０によりヘッドヒール１２０のヘッドヒール片１２１に付けられていた中空締結管２５０がその内部に収縮されていたスプリング２４０の弾性力により調整管２７０に密着される状態で後方に移動するようになりながら、ヘッドヒール１２０と間隔を形成するようになる。ヘッドヒール１２０と中空締結管２５０とが所定の間隔で離隔された状態において調整管２７０をヘッドヒール１２０方向に押すと、締結部２００の全体が押されるようになるが、これは回動体２１０の第１の貫通ホール２１１が長孔形状であるから可能である。この時、締結棒２３０の端部に連結された回動体２１０の外側ギア片２１５がヘッドヒール１２０の内側ギア１２５に噛み合っている状態から解除される。
【００３７】
外側ギア片２１５が内側ギア１２５から解除されれば、回動体２１０は軸ピン１４０を中心に回動可能になるので、回動体２１０に連結されて中空締結管２５０で包まれた締結棒２３０をヘッドヒール１２０に形成されたガイド凹溝１３０に沿って回動させることによって締結部２００とヘッド部１００との間の角度調節が可能になる。この時、中空締結管２５０の端部に形成されたガイド突起２５５はより安定するように締結棒２３０が回動され得るようにする。
【００３８】
締結部２００を回動させてヘッド部１００と望む角度に位置させた後、固定させるためには調整管２７０を再び反時計方向に回動させる。調整管２７０を反時計方向へ回動させれば、調整管２７０がヘッド部１００側へ移動されながら、中空締結管２５０をヘッド部１００側へ押すようになり、ヘッドヒール１２０と中空締結管２５０との間の離隔は無くなり、回動体２１０の外側ギア片２１５は回動溝１２３の内側ギア１２５に噛み合うようになって締結部２００はこれ以上回動されず固定される。
【００３９】
一方、図８は本発明によるゴルフクラブヘッドのヘッド部をロフト角度９０゜以上に反らす場合の動作図であって、この時、ゴルフクラブヘッドは左利き用ゴルフクラブに変更され、障害物のために不可避にボールの左方向からショットをしなければならない場合にも有用に使用され得る。
【００４０】
次には、本実施例によるゴルフクラブヘッドの組み立て法に対して説明する。
【００４１】
ヘッドヒール１２０と本体１１０とが一体に形成されたヘッド部１００を組み立て位置に用意させ、保護帯２２０をガイド凹溝１３０に挿入する。次に、外部と貫通された回動溝１２３ａを介して回動体２１０をガイド凹溝１３０の壁面に形成される回動溝１２３などの間に装着させ、締結棒２３０を回動体２１０の挿入溝２１７に挿着させ、第１の貫通ホール２１１と第２の貫通ホール２３３及び固定ホール２１３と固定溝２３５をそれぞれ、互いに一致させた後、固定ピン２１８を固定ホール２１３及び固定溝２３５へ通過させて締結棒２３０と回動体２１０とを連結する。締結棒２３０にはスプリング２４０を嵌めこみ、その上部に中空締結管２５０を嵌め込むが、ガイド突起２５５がガイド凹溝１３０に挿着されるように嵌め込む。中空締結管２５０の上には更にワッシャー２６０と調整管２７０とを嵌め込む。この時、調整管２７０は締結棒２３０の雄ねじ部２３７とねじ結合される。最後に、カバー１５０を覆って軸ピン１４０をカバー１５０の軸ホール１５１、回動体の第１の貫通ホール２１１、締結棒２３０の第２の貫通ホール２３３、ヘッドヒール片１２１ｂの軸ホール１２７とを並んで貫通させ、固定させることにより組み立てが完成される。
【００４２】
以下では、本発明による第２の実施例を図面を参照しながらより詳細に説明するようにする。第２の実施例は第１の実施例において、回動体、回動体と結合する締結棒、そして、保護帯の締結方式などから変形したものであって、より簡単な構成になり得るだけでなく、ロフト角度の調節時、ことことする音が発生して回転感を与えることを特徴とする。図９は第２の実施例によるロフト角度が調節できるゴルフクラブヘッドの分解斜視図であり、図１０は第２の実施例による回動体の拡大された分解斜視図であり、図１１は第２の実施例による中空締結管の切開斜視図である。これによれば、回動体は回動片４１０ａ、４１０ｂ、結合ピン４１３の結合体を意味し、結合ピン４１３は回動片４１０ａ、４１０ｂと締結棒４３０とを互いに連結する。
【００４３】
結合ピン４１３は回転されないように断面が多角形で形成された多角形柱形体である。図９において結合ピン４１３の断面は角の部分が削られた四角形状をしている。また、結合ピン４１３には軸方向に軸ピン３４０が通過する第１の貫通ホール４１１が形成される。
【００４４】
回動片４１０ａ、４１０ｂは、回動片４１０ａ、４１０ｂを貫通して結合ピン４１３が強制に嵌め込まれることができるように結合ピン４１３の断面形状に対応する第１の結合ホール４１６ａ、４１６ｂが形成され、外面には外側ギア片４１５ａ、４１５ｂが形成され、全体的にほぼリング形状を成す。また、回動片４１０ａ、４１０ｂの外側ギア片４１５ａ、４１５ｂと第１の結合ホール４１６ａ、４１６ｂとを貫通するピンホール４１４ａ、 ４１４ｂが形成される。ピンホール４１４ａ、４１４ｂの直径は２段階でなされ、第１の結合ホール４１６ａ、４１６ｂ側には大きい直径（Ｒ）で、外側ギア片４１５ａ、 ４１５ｂには小さい直径（ｒ）で形成される。これは圧入される小型ピン４１７ａ、４１７ｂのボディー部は通過させ、頭部（ｈ）は通過させないようにするためである。即ち、小型ピン４１７ａ、４１７ｂのボディー部（Ｂ）が外側ギア片４１５ａ、 ４１５ｂに向かうように圧入させれば、小型ピン４１７ａ、 ４１７ｂのボディー部（Ｂ）の一部だけが第１の結合ホール４１６ａ、 ４１６ｂを介して突出され、頭部（ｈ）によって離脱されることはない。小型ピン４１７ａ、４１７ｂが圧入された上には更に小型コイルスプリング４１９ａ、４１９ｂが圧入される。一方、小型ピン４１７ａ、 ４１７ｂと小型コイルスプリング４１９ａ、４１９ｂとを容易に圧入させるために回動片４１０ａ、４１０ｂ上には別途の挿入ホール４１２ａ、４１２ｂが形成される。
【００４５】
締結棒４３０の回動体側の端部には第１の結合ホール４１６ａ、４１６ｂと同一の形状の第２の結合ホール４３３が形成される。従って、第１の結合ホール４１６ａ、４１６ｂ及び第２の結合ホール４３３を通過する結合ピン４１３は回動体と締結棒４３０とを連結する。
【００４６】
また、第２の実施例において保護帯４２０は中空締結管のガイド突起に形成される挿入溝４５７ａ、４５７ｂに両端部４２１ａ、４２１ｂが挿入されるようにする。
【００４７】
一方、第２の実施例において内側ギア３２５ａ、３２５ｂのギア山は全て７２個で構成されるが、ギア山が多いほど柔らかく回転可能であり、ギア山の一つが約５゜を維持するようにして角度調節の時、便利さを提供するためである。第１の実施例に比べて第２の実施例ではギア山を複数個で製造するのに容易である。
【００４８】
以外の部分で第２の実施例は第１の実施例と類似して作動するので、これに対する詳細な説明は省略する。
【００４９】
以下では、本発明の第２の実施例によるロフト角度が調節できるゴルフクラブヘッドの動作及び機能を図面を参照して説明する。図１２ａ、図１２ｂはそれぞれ、ヘッド部が一定のロフト角度に固定されている状態を見せる動作図及び部分切開断面図であり、図１３ａ、図１３ｂはそれぞれ、調整管を後方へ移動させる状態を見せる動作図であり、図１４ａ、図１４ｂはそれぞれ、ヘッド部を回動して他のロフト角度に変更する状態を見せる動作図である。
【００５０】
回動片４１０ａ、４１０ｂに設置される小型ピン４１７ａ、４１７ｂと小型コイルスプリング４１９ａ、４１９ｂとの動作を除いて第１の実施例と類似しているので、第１の実施例と同一に動作される事項は省略し、小型ピン４１７ａ、４１７ｂと小型コイルスプリング４１９ａ、４１９ｂの作用を主として説明する。
【００５１】
調整管４７０を調節して外側ギア片４１５ａ、４１５ｂを内側ギア３２５ａ、３２５ｂから離隔されるようにした後、回動体を回転するようになれば、内側ギア３２５ａ、３２５ｂによって押さえられていた小型ピン４１７ａ、４１７ｂは内側ギア３２５ａ、３２５ｂのギア山に応じて押さえと湧きとを繰り返し、これにより、がたがたする音が発生するようになる。従って、使用者は目盛りを見なくても、がたがたする音の１回で約 ５゜の角度回転が発生するということを容易に感知できる。
【００５２】
次には、第２の実施例によるゴルフクラブヘッドの組み立て法に対して説明する。
【００５３】
先ず、挿入ホール４１２ａ、４１２ｂを貫通させてピンホール４１４ａ、４１４ｂに小型ピン４１７ａ、４１７ｂをボディー部（Ｂ）が外側ギア片４１５ａ、４１５ｂに向かうようにして嵌め込み、更に小型コイルスプリング４１９ａ、４１９ｂを圧入させて各回動片を完成する。
【００５４】
次に、回動片４１０ｂの外側ギア片４１５ａ、４１５ｂのギア山がガイド凹溝３３０側に向かうように回動溝３２３の内側ギア３２５ａ、３２５ｂに噛み合うように嵌め込み、締結棒４３０をガイド凹溝３３０を通過させて回動片の第１の結合ホール４１６ｂに第２の結合ホール４３３が合わさせることができるように位置させ、また、他の回動片４１０ａを締結棒４３０の第２の結合ホール４３３に第１の結合ホール４１６ａが合わさせることができるように位置させる。回動片４１０ａ、４１０ｂなどと締結棒４３０の結合ホール４１６ａ、４１６ｂなどとが整列された状態で結合ピン４１３を各結合ホールを貫通するように通過させれば、締結棒と回動体とは結合される。
【００５５】
一方、保護帯４２０は端部４２１ａ、４２１ｂを挿入溝４５７ａ、４５７ｂに挿入させることによって別途の溶接作業なしに設置されることができる。以後の組み立て方法は第１の実施例と同一であるため省略する。
【００５６】
本発明は上述した実施例などを基準にして主に説明されたが、発明の要旨と範囲とを脱せず、多くの他の可能な修正と変形がなされることができる。例えば、 ヘッドヒール１２０形状の変更、外側ギア片形状の変更、スプリング代用弾性部材の使用、各種ピン及びホールの形状の変更などは当業者が容易に導出できる変更であろう。        
【００５７】
前述した発明に対する権利範囲は以下の請求の範囲で決まることであって、明細書本文の記載に拘束されず、請求の範囲の均等範囲に属する変形と変更とは共に本発明の範囲に属するでしょう。
【図面の簡単な説明】
【００５８】
【図１】本発明の第１の実施例によるゴルフクラブヘッドの分解斜視図。
【図２】本発明の第１の実施例の具現によるヘッド部のヘッドヒールの切開斜視図。
【図３】本発明の第１の実施例による回動体の斜視図。
【図４】本発明の第１の実施例による中空締結管の切開斜視図。
【図５Ａ】本発明の第１の実施例によるヘッド部が一定のロフト角度に固定されている状態を見せる動作図及び部分切開断面図。
【図５Ｂ】本発明の第１の実施例によるヘッド部が一定のロフト角度に固定されている状態を見せる動作図及び部分切開断面図。
【図６Ａ】本発明の第１の実施例による調整管を後方に移動させる状態を見せる動作図及び部分切開断面図。
【図６Ｂ】本発明の第１の実施例による調整管を後方に移動させる状態を見せる動作図及び部分切開断面図。
【図７Ａ】本発明の第１の実施例によるヘッド部のロフト角度が変更される状態を見せる動作図及び部分切開断面図。
【図７Ｂ】本発明の第１の実施例によるヘッド部のロフト角度が変更される状態を見せる動作図及び部分切開断面図。
【図８】本発明によるゴルフクラブヘッドのヘッド部をロフト角度９０゜以上に回動させる場合の動作図。
【図９】本発明の第２の実施例によるロフト角度が調節できるゴルフクラブヘッドの分解斜視図。
【図１０】本発明の第２の実施例による回動体の拡大された分解斜視図。
【図１１】本発明の第２の実施例による中空締結管の切開斜視図。
【図１２Ａ】本発明の第２の実施例によるヘッド部が一定のロフト角度に固定されている状態を見せる動作図及び部分切開断面図。
【図１２Ｂ】本発明の第２の実施例によるヘッド部が一定のロフト角度に固定されている状態を見せる動作図及び部分切開断面図。
【図１３Ａ】本発明の第２の実施例による調整管を後方に移動させる状態を見せる動作図。
【図１３Ｂ】本発明の第２の実施例による調整管を後方に移動させる状態を見せる動作図。
【図１４Ａ】本発明の第２の実施例によるヘッド部を回動して他のロフト角度に変更する状態を見せる動作図。
【図１４Ｂ】本発明の第２の実施例によるヘッド部を回動して他のロフト角度に変更する状態を見せる動作図。
【符号の説明】
【００５９】
１００    ヘッド部
１１０    本体
１２０    ヘッドヒール
１２１、１２１ａ、１２１ｂ ヘッドヒール片
１２３、１２３ａ、１２３ｂ 回動溝
１２５、１２５ａ、１２５ｂ 内側ギア
１２７    軸ホール
１３０    ガイド凹溝
１４０    軸ピン
１５０    カバー  
１５１    軸ホール      
２００    締結部
２１０    回動体
２１１    第１の貫通ホール
２１３、２１３ａ、２１３ｂ 固定ホール
２１５、２１５ａ、２１５ｂ 外側ギア片
２２０    保護帯
２３０    締結棒
２３１    挿入端部
２３３    第２の貫通ホール
２３５、２３５ａ、２３５ｂ 固定溝 
２３７    雄ねじ部
２３８    スプリング阻止部
２４０    スプリング
２５０    中空締結管
２５３    凹端部
２５５、２５５ａ、２５５ｂ ガイド突起  
２５７    スプリング加圧部
２６０    ワッシャー
２７０    調整管
３００    ヘッド部
３１０    本体
３２０    ヘッドヒール
３２１ａ、３２１ｂ  ヘッドヒール片
３２３ａ、３２３ｂ  回動溝
３２５ａ、３２５ｂ  内側ギア
３２７    軸ホール
３３０    ガイド凹溝
３４０    軸ピン
３５０    カバー  
３５１    軸ホール 
４００    締結部
４１１    第１の貫通ホール
４１２ａ、４１２ｂ  挿入ホール
４１３    結合ピン
４１４ａ、４１４ｂ  ピンホール
４１５ａ、４１５ｂ  外側ギア
４１６ａ、４１６ｂ  第１の結合ホール
４１７ａ、４１７ｂ  小型ピン
４１９ａ、４１９ｂ  小型コイルスプリング
４２０    保護帯
４２１    保護帯端部
４３０    締結棒
４３１    挿入端部
４３３    第２の結合ホール
４３７    雄ねじ部
４３８    スプリング阻止部
４４０    スプリング
４５０    中空締結管
４５３    凹端部
４５５ａ、４５５ｂ  ガイド突起
４５７    スプリング加圧部
４６０    ワッシャー
４７０    調整管
【図１】
2006223828.tif 000003
【図２】
2006223828.tif 000004
【図３】
2006223828.tif 000005
【図４】
2006223828.tif 000006
【図５Ａ】
2006223828.tif 000007
【図５Ｂ】
2006223828.tif 000008
【図６Ａ】
2006223828.tif 000009
【図６Ｂ】
2006223828.tif 000010
【図７Ａ】
2006223828.tif 000011
【図７Ｂ】
2006223828.tif 000012
【図８】
2006223828.tif 000013
【図９】
2006223828.tif 000014
【図１０】
2006223828.tif 000015
【図１１】
2006223828.tif 000016
【図１２Ａ】
2006223828.tif 000017
【図１２Ｂ】
2006223828.tif 000018
【図１３Ａ】
2006223828.tif 000019
【図１３Ｂ】
2006223828.tif 000020
【図１４Ａ】
2006223828.tif 000021
【図１４Ｂ】
2006223828.tif 000022